(57)【特許請求の範囲】
【請求項１】
壁面に対して自由位置に手摺棒を保持する手摺の保持構造において、
断面コ字状が連続したジグザグ状を呈し、受金保持部（４）を中央にしてその両側に壁面取付部（５）とカバー係止部（６）が形成され、該壁面取付部（５）に設けられた長円形のねじ穴（８）を介して壁面（２）の裏側にある間柱（１）にねじ止めされた鋼鉄板製の補強板（３）と、
該補強板（３）の受金保持部（４）に、取り付け位置自在にねじ止めされたボルト（１０）と、
該ボルト（１０）に対して取り付け高さ可変の受け金具（９）と、
該受け金具（９）の先端に取り付けられた手摺棒（１５）と、
該補強板（３）の壁面取付部（５）に掛け止められ、該受け金具（９）のネック部をカバーする受け金具カバー（１６）と、
該補強板（３）の壁面取付部（５）に掛け止められ、該補強板（３）の表面をカバーする補強板カバー（２９）と、
補強板（３）の端部を覆う端末覆い（３３）と、
を具備してなる手摺の保持構造。
【請求項２】
前記受け金具カバーは、ネック覆いを有し、該ネック覆いが受け金具のネック部を覆うことを特徴とする請求項１に記載の手摺の保持構造。
【請求項３】
前記壁面取付部にあけられた複数個のねじ孔は長円形を呈しており、補強板の長手方向に対して直交するように引いたいかなる直線も必ずいずれかのねじ穴と交差するように形成されていることを特徴とする請求項１に記載の手摺の保持構造。
【請求項４】
先端に手摺棒を固定する受け金具を保持する受金保持部に設けられた受金係止孔は長円形に形成され、かつボルトの頭部は細長状であり、その幅は受金係止孔７の幅よりも小さく、その長さは受金係止孔の幅よりも大きく形成されその厚みは受金保持部の内側の深さよりも小さく形成されて頭部は、受金係止孔に挿入され回転して、ナットにより補強板に固定させることを特徴とする請求項１に記載の手摺の保持構造。
【発明の詳細な説明】
【０００１】
【発明の属する技術分野】
本発明は、手摺の保持構造に関し、特に壁面の所望の位置に手摺を自由に取り付けることができる手摺の保持構造に関する。
【０００２】
【従来の技術】
住宅は、これを使用する人の年齢により、内部構造やインテリアも異なってくるのが普通である。例えば、若い強健な人ばかりが居住する場合には、居住性を重くみる傾向から室内に必ずしもインテリアを必要とせず、また若年層の人は歩行に困難を来すこともないので、室内の各所に手摺を設けることもない。
【０００３】
人間の居住空間は住む人にとって安全であることが大切である。住人の加齢にともない身体機能が低下してきた高齢者や身体障害者にとって住宅内はさほど安全な場所ではなく、住宅内での事故は交通事故に次いで多いというのが現状である。
【０００４】
一般住宅、特に日本建築の住宅では、塗り壁や人造ボードを張り付けて壁面を構成する。何れの方法で壁面を構成しても壁面の芯部分には竹材や角材を用いた芯材や補強材を用いる。
【０００５】
【発明が解決しようとする課題】
このような従来形式の住居に身障者や高齢者が居住しようとする場合、未然の事故を防止するため、壁面に手摺を設けたい場合がある。ところが、上述の如き従来形式の壁面は、壁面内部の所望の位置に手摺を保持するための保持金具をサポートする構成材がないため、壁面の大幅な改装を余儀なくされるのが現状である。本発明はこのような従来の不都合を解消しようとするものであり、その目的は、壁面の内部構造を改良することなくインテリア性を確保し簡単な施工で必要な壁面に手摺を取り付けることができるような手摺の保持構造を提供しようとするものである。
【０００６】
【課題を解決するための手段】
本願の請求項１に記載の発明は、壁面に対して自由位置に手摺棒を保持する手摺の保持構造において、断面コ字状が連続したジグザグ状を呈し、受金保持部を中央にしてその両側に壁面取付部とカバー係止部が形成され、該壁面取付部に設けられた長円形のねじ穴を介して壁面の裏側にある間柱にねじ止めされた鋼鉄板製の補強板と、該補強板の受金保持部に、取り付け位置自在にねじ止めされたボルトと、該ボルトに対して取り付け高さ可変の受け金具と、該受け金具の先端に取り付けられた手摺棒と、該補強板の壁面取付部に掛け止められ、該受け金具のネック部をカバーする受け金具カバーと、該補強板の壁面取付部に掛け止められ、該補強板の表面をカバーする補強板カバーと、補強板の端部を覆う端末覆いと、を具備してなる手摺の保持構造を提供する。
本願の請求項２に記載の発明は、請求項１に記載の発明に加えて、前記受け金具カバーは、ネック覆いを有し、該ネック覆いが受け金具のネック部を覆うことを特徴とする手摺の保持構造を提供する。
【０００７】
本願の請求項３に記載の発明は、請求項１に記載の発明に加えて、前記壁面取付部にあけられた複数個のねじ孔は長円形を呈しており、補強板の長手方向に対して直交するように引いたいかなる直線も必ずいずれかのねじ穴と交差するように形成されていることを特徴とする手摺の保持構造を提供する。
本願の請求項４に記載の発明は、請求項１に記載の発明に加えて、先端に手摺棒を固定する受け金具を保持する受金保持部に設けられた受金係止孔は長円形に形成され、かつボルトの頭部は細長状であり、その幅は受金係止孔７の幅よりも小さく、その長さは受金係止孔の幅よりも大きく形成されその厚みは受金保持部の内側の深さよりも小さく形成されて頭部は、受金係止孔に挿入され回転して、ナットにより補強板に固定させることを特徴とする手摺の保持構造を提供する。
【０００８】
【作用】
壁面の構成特に壁面の内部構成を変更することなく、壁面の表面に補強板を自由な位置にと簡単に取り付けることができる。したがって、インテリア性を確保し簡単な施工で必要な壁面に手摺を自由な位置に設置することができる。
【０００９】
【発明の実施の形態】
次に本発明の実施の形態を、図面を用いて詳細に説明する。図１は本発明の手摺の保持構造を示す斜視図であり、一般的な壁構造の内部を一部切り開いて示してある。図１において、１は間柱であり、断面四方形の木材からなる。該間柱１は、通常家屋の柱と柱との間に壁面２の内面に沿って所定の間隔を保持して設けられている。壁面２の表面には補強板３が外壁面２に沿って水平方向に取付けられている。補強板３が設けられている位置は、これから新たに手摺を設置しようとする場所に沿っている。補強板３は鋼鉄板の打ち抜きにより形成されており、図２に示すように、断面はコ字状が連続したジグザグ状を呈しており、後述する手摺保持用の受け金具を取り付ける受金保持部４を中央にしてその両側に壁面取付部５と後述の補強板カバーを掛け止めるカバー係止部６が形成されている。図３に示して明らかなように、補強板３の受金保持部４の表面には受金係止孔７が開けられており、壁面取付部５にはねじ穴８が開けられている。
【００１０】
受金係止孔７およびねじ穴８は、いずれも長円形を呈しており、受金係止孔７は受金保持部４の長手方向に沿って適当な間隔を保持して複数個設けられておりさらにねじ穴８は、補強板３の長手方向に対して直交するように引いたいかなる直線（図３において２点鎖線で示す）も必ずいずれかのねじ穴８と交差するように形成されている。
【００１１】
このように構成された補強板３は、図４に示すように、壁面２に沿って所望の位置に水平方向に配置され、図１及び図５に示すように、間柱１の上に位置するねじ穴８にネジ１２をねじ込んで、補強板３を壁面２の上面に固定する。
【００１２】
補強板３には、手摺棒を固定するための受け金具９を取り付ける。次に手摺の受け金具９を補強板３の受金保持部４に固定する構造と作用を説明する。受け金具９は図６に示すように、受け金具９を受金保持部４に固定するためのボルト１０を有する。ボルト１０の頭部１１は細長状であり、その幅は受金保持部４に設けられた受金係止孔７の幅よりも小さく、その長さは受金係止孔７の幅よりも大きい。その厚みは受金保持部４の内側の深さよりも小さい。図７の（イ）に示すようにボルト１０の頭部１１は、壁面に固定された補強板３の受金保持部４に設けられた受金係止孔７に挿入された後、図７の（ロ）に示すように、ボルト１０を回転し、ナット１３によりボルト１０を補強板３に固定する。ボルト１０の固定位置は、受け金具９の取付位置であり、この位置は受金係止孔７内で自由に設定できる。
【００１３】
補強板３に固定されたボルト１０には、さらにもう１つのナット１３がねじ込まれる。その後、ほぼＬ字型をした受け金具９の根部に設けられたねじ穴１４がボルト１０にねじ込まれる。そして、図８に示すように、ねじ込まれた深さにより、壁面２から手摺棒１５までの高さＨが決められる。受け金具９の位置が決定された後、ナット１３を受け金具９に締め付けて該受け金具９をボルト１０を介して補強板３に固定する。
【００１４】
受け金具９が補強板３に取り付けられた後には、体裁を整えるため、あるいは傷害事故などの防止のため、受け金具９のネック部は受け金具カバー１６でカバーされる。該受け金具カバー１６は合成樹脂製であり、図９及び図１０に示すように、Ｍカバー１７とＦカバー１８とを有する。Ｍカバー１７は、中央右側にネック覆い１９が立設されている。該ネック覆い１９は反円筒形を呈しておりその側面には係合用の突起２０が設けられている。また、その両サイド裏面には受金保持部４のカバー係止部６に掛け止められるフック部２１、２２が形成されている。またフック部２１、２２の側面にも係合用の突起２３が形成されている。
【００１５】
Ｆカバー１８は、中央左側にネック覆い２４が立設されている。該ネック覆い２４は反円筒形を呈しており、その側面には係合用の突起２０が嵌合する係合穴２５が設けられている。またその両サイド裏面には、受金保持部４のカバー係止部６に掛け止められるフック部２６、２７が形成されている。フック部２６、２７の側面には係合用の突起２３が係合する穴２８が形成されている。図１に示すように、受金保持部４の表面は補強板カバー２９により覆われる。補強板カバー２９の裏面両サイドには受金保持部４のカバー係止部６に掛け止められるフック部３０、３１が形成されている。
【００１６】
次に本発明の実施の形態の作用について説明する。図４に示すように、壁面２の手摺を設置する所定の高さの位置にマークでも付して、目印とする。次に超音波探査機などを用いて、壁面２の裏面側に位置する間柱１や柱など、ねじ止めの利く部分を特定しておく。そして図５に示すように、手摺を設置する位置に補強板３を沿わせ、間柱１の上に位置するねじ穴８にネジ１２をねじ込んで、補強板３を壁面２の上面に固定する。受金係止孔７およびねじ穴８は、いずれも長円形を呈しており、受金係止孔７は受金保持部４の長手方向に沿って適当な間隔を保持して複数個設けられておりさらにねじ穴８は、補強板３の長手方向に対して直交するように引いたいかなる直線も必ずいずれかのねじ穴８と交差するように形成されている。したがって、いかなる間柱１の上或いは柱の上に、いずれかのねじ穴８が位置して、壁面２上に補強板３をねじ止めできこれを確実に壁面に取り付けることができる。
【００１７】
次に補強板３の受金保持部４に、前述のようにして受け金具９を所定の間隔を保持して取り付ける。なお、受金係止孔７は長方形に形成されているので、受け金具９の間隔は自由に設定できる。ついで受け金具９の根本付近の補強板３の表面に受け金具カバー１６を取り付け、さらに露出している補強板３の表面に補強板カバー２９をはめ込んでカバーする。なお、始端及び終端の補強板カバー２９の端部には、図１１に示すように、スリット３２が形成され、このスリット３２には端末覆い３３の爪３４をはめ込み、体裁を整える。以上の作業が終了した後図８に示すように、受け金具９の先端に手摺棒１５を取り付ける。
【００１８】
本発明は、壁面２に沿って水平方向に設置できるばかりでなく、階段のように傾斜して手摺を設置しなければならない部分であって、補強板３を傾斜して壁面に沿わせても、受金係止孔７およびねじ穴８は、いずれも長円形を呈しており、受金係止孔７は受金保持部４の長手方向に沿って適当な間隔を保持して複数個設けられておりさらにねじ穴８は、補強板３の長手方向に対して直交するように引いたいかなる直線も必ずいずれかのねじ穴８と交差するように形成されているので、いかなる間柱１の上或いは柱の上に、いずれかのねじ穴８が位置して、壁面２上に補強板３をねじ止めできこれを確実に壁面に取り付けることができる。
【００１９】
上記実施の形態において、補強板３は断面はコ字状が連続したジグザグ状を呈しており、後述する手摺保持用の受け金具を取り付ける受金保持部４を中央にしてその両側に壁面取付部５と後述の補強板カバーを掛け止めるカバー係止部６が形成されている。次の実施形態では、図１２に示すように、補強板３は、２列の長円形をした受金係止孔７が設けている。これら２列の受金係止孔７は、補強板３の長手方向に対して直交するように引いたいかなる直線も必ずいずれかの受金係止孔７と交差するように形成されている。
【００２０】
また、受金保持部４の両側の立ち上がり部４’の一方端には水平方向に折り曲げたカバー係止部６を設け、他方の立ち上がり部４’には水平方向に折り曲げた壁面取付部５を設け、また、壁面取付部５の外側には、カバー係止部６を設けている。この第２の実施形態における補強板は、前記第１の実施形態と同じく、壁面に取り付けて、これに手摺棒を取り付けた受け金具９を取り付け、さらにカバー係止部に補強板カバーをかけ止めて補強板の表面を補強板カバーで覆う。
【００２１】
【発明の効果】
以上詳細に説明したように、本発明にかかる手摺の保持構造は、壁面に対して自由位置に手摺棒を保持する手摺の保持構造において、断面コ字状が連続したジグザグ状を呈し、受金保持部を中央にしてその両側に壁面取付部とカバー係止部が形成され、該壁面取付部に設けられた長円形のねじ穴を介して壁面の裏側にある間柱にねじ止めされた鋼鉄板製の補強板と、該補強板の受金保持部に、取り付け位置自在にねじ止めされたボルトと、該ボルトに対して取り付け高さ可変の受け金具と、該受け金具の先端に取り付けられた手摺棒と、該補強板の壁面取付部に掛け止められ、該受け金具のネック部をカバーする受け金具カバーと、該補強板の壁面取付部に掛け止められ、該補強板の表面をカバーする補強板カバーと、補強板の端部を覆う端末覆いと、を具備してなるので、壁面の構成特に壁面の内部構成を変更することなく、壁面の表面に補強板を自由な位置に、簡単に取り付けることができる。したがって、インテリア性を確保し簡単な施工で必要な壁面に手摺を自由な位置に設置することができる。
また、本発明の受け金具は、ボルト（１０）に対して高さを可変に出来るので、結果的に手摺棒の壁面からの位置を、ユーザの好みによって自由に調節することが可能である。
【図面の簡単な説明】
【図１】図１は、本発明の手摺の保持構造を示す斜視図である。
【図２】図２は、補強板の断面図である。
【図３】図３は、補強板の一部正面図である。
【図４】図４は、補強板の取付を説明する説明図である。
【図５】図５は、補強板の取付状態を示す一部正面図である。
【図６】図６は、ボルト１０とナット１３を示す図である。
【図７】図７は、ボルト１０を補強板に取り付ける説明図である。
【図８】図８は、補強板に受け金具を取り付けた状態を示す断面図である。
【図９】図９は、受け金具カバーの正面図である。
【図１０】図１０は、Ｍカバーの側面図である。
【図１１】図１１は、端末覆いの装着を説明する説明図である。
【図１２】図１２は、補強板の他の実施形態を示す断面図である。
【符号の説明】
１・・・・・間柱
２・・・・・壁面
３・・・・・補強板
４・・・・・受金保持部
５・・・・・壁面取付部
６・・・・・カバー係止部
７・・・・・受金係止孔
８・・・・・ねじ穴
９・・・・・受け金具
１０・・・・・ボルト
１１・・・・・頭部
１２・・・・・ネジ
１３・・・・・ナット
１４・・・・・ねじ穴
１５・・・・・手摺棒
１６・・・・・受け金具カバー
１７・・・・・Ｍカバー
１８・・・・・Ｆカバー
１９・・・・・ネック覆い
２０・・・・・突起
２１・・・・・フック部
２２・・・・・フック部
２３・・・・・突起
２４・・・・・ネック覆い
２５・・・・・穴
２６・・・・・フック部
２７・・・・・フック部
２８・・・・・穴
２９・・・・・補強板カバー
３０・・・・・フック部
３１・・・・・フック部
３２・・・・・スリット
３３・・・・・端末覆い
３４・・・・・爪
【図１】
0003648827.tif 000002
【図２】
0003648827.tif 000003
【図３】
0003648827.tif 000004
【図４】
0003648827.tif 000005
【図５】
0003648827.tif 000006
【図６】
0003648827.tif 000007
【図７】
0003648827.tif 000008
【図８】
0003648827.tif 000009
【図９】
0003648827.tif 000010
【図１０】
0003648827.tif 000011
【図１１】
0003648827.tif 000012
【図１２】
0003648827.tif 000013